(57)【要約】【課題】フエンス本体の取付け誤りを未然に防止できるフエンスとする。【解決手段】フエンス本体１０の横線材１２をフックボルト３３とナット３４を有する固定部材３０で支柱２０に固定してフエンス本体１０を支柱２０に取付けるフエンスにおいて、前記支柱２０は一側面２０ａと他側面２０ｂに貫通した取付孔２１と一側面２０ａに開口した穴２２を有し、フックボルト３３のフック３１の先端部３１ａが穴２２に挿入した時にはねじ部３２が支柱２０の他側面２０ｂから突出してナット３４を螺合でき、前記フック３１の先端部３１ａが支柱２０の一側面２０ａに当接した時にはねじ部３２が支柱２０の他側面２０ｂから突出しないようにする。これによって、フック３１で横線材１２を支柱２０の一側面２０ａに押しつけて固定できない場合にはナット３４を螺合できないから、フエンス本体２０の取付け誤りを未然に防止できる。【選択図】　　　　図４
2004124470.tif 000002
【特許請求の範囲】
【請求項１】
支柱の一側面に、フエンス本体の横線材を固定部材で固定してフエンス本体を支柱に取付けたフエンスであって、
前記固定部材は、一端に、前記横線材を支柱の一側面に押しつけるフックを有し、他端にねじ部を有するフックボルトと、そのねじ部に螺合するナットを備え、
前記支柱は、一側面と他側面に貫通し前記フックボルトが挿通する取付孔と、前記フックの先端部が挿入する一側面に開口した穴を有し、
前記フックボルトは、フックの先端部が穴に挿入した時にはねじ部が支柱の他側面から突出し、かつフックの先端部が支柱の一側面に当接した時にはねじ部が支柱の他側面から突出しないことを特徴とするフエンス。
【請求項２】
支柱は中空形状で、その中空部にスペーサ部材が嵌合され、このスペーサ部材は支柱の取付孔と連続するガイド孔を有する請求項１記載のフエンス。
【請求項３】
支柱の一側面に仮固定金具が取付けられ、この仮固定金具はフエンス本体の横線材を線接触で支持する横線材支持部を有し、
この横線材支持部の横方向位置は支柱の取付孔中心とほぼ同一位置で、上下方向位置は固定部材で固定される横線材が取付孔と穴との間に位置する位置である請求項１又は２記載のフエンス。
【発明の詳細な説明】
【０００１】
【発明の属する技術分野】
本発明は、主として住宅や工場等の敷地の境界に設置されるフエンスに関する。
【０００２】
【従来の技術】
特許文献１に示すフエンスが知られている。
このフエンスは、縦線材と横線材で格子状のフエンス本体と、支柱を備え、そのフエンス本体の横線材を固定部材で支柱に固定することでフエンス本体を支柱に取付けたものである。
【０００３】
【特許文献１】
特開平８−１２８２４０号公報
【０００４】
【発明が解決しようとする課題】
前述した従来のフエンスにおける固定部材は、図８に示すように一端にフック１を有すると共に、他端にねじ部２を有する金属棒３で、支柱４の取付孔５に金属棒３を貫通してフック１の先端部１ａを支柱１の穴６に挿入することでフック１を横線材７に嵌め込み、前記ねじ部２にナット８を螺合して締付けることにより、フック１で横線材７を支柱４の一側面４ａに押しつけて固定している。
このようであるから、図９に示すようにフック１の先端部１ａが穴６に挿入せずに支柱４の一側面４ａに当接した状態でナット８を締付けるとフック１と横線材７との間に隙間が生じ、横線材７を支柱４に固定できずにフエンス本体が支柱４に対してがたついてしまう。
【０００５】
よって、前述した従来のフエンスであるとフック１の先端部１ａが穴６に挿入していないことを作業者が気づかずに、その状態でナット８を締付けてフエンス本体を支柱に取付けてしまうこと、つまりフエンス本体の取付け誤りが生じることがある。
【０００６】
本発明は、前述の課題に鑑みなされたものであり、その目的は、フエンス本体の取付け誤りが生じることがないフエンスを提供することである。
【０００７】
【課題を解決するための手段】
第１の発明は、支柱の一側面に、フエンス本体の横線材を固定部材で固定してフエンス本体を支柱に取付けたフエンスであって、
前記固定部材は、一端に、前記横線材を支柱の一側面に押しつけるフックを有し、他端にねじ部を有するフックボルトと、そのねじ部に螺合するナットを備え、
前記支柱は、一側面と他側面に貫通し前記フックボルトが挿通する取付孔と、前記フックの先端部が挿入する一側面に開口した穴を有し、
前記フックボルトは、フックの先端部が穴に挿入した時にはねじ部が支柱の他側面から突出し、かつフックの先端部が支柱の一側面に当接した時にはねじ部が支柱の他側面から突出しないことを特徴とするフエンスである。
【０００８】
第２の発明は、第１の発明において支柱は中空形状で、その中空部にスペーサ部材が嵌合され、このスペーサ部材は支柱の取付孔と連続するガイド孔を有するフエンスである。
【０００９】
第３の発明は、第１又は第２の発明において支柱の一側面に仮固定金具が取付けられ、この仮固定金具はフエンス本体の横線材を線接触で支持する横線材支持部を有し、
この横線材支持部の横方向位置は支柱の取付孔中心とほぼ同一位置で、上下方向位置は固定部材で固定される横線材が取付孔と穴との間に位置する位置であるフエンスである。
【００１０】
【作　用】
第１の発明によれば、フエンス本体を支柱に取付ける際に、フックボルトのフックの先端部が支柱の一側面に当接しているとねじ部が支柱の他側面から突出せずにナットを螺合できないから、作業者はフックの先端部が穴に挿入していないことを知ることができる。
作業者はフックボルトを再び挿通し直してフックの先端部を穴に挿入し、ねじ部にナットを螺合して締付けることで横線材をフックで支柱の一側面に押しつけてしっかりと固定できる。
したがって、フエンス本体の取付け誤りが生じることがないフエンスである。
【００１１】
第２の発明によれば、フックボルトをスペーサ部材のガイド孔を通して支柱の取付孔に容易に挿通できる。
ナットの締付けによって支柱がへこむことをスペーサ部材で防止できる。
【００１２】
第３の発明によれば、フエンス本体の横線材を仮固定金具の横線材支持部に支持してフエンス本体を仮固定できるし、固定部材で固定される横線材が支柱の取付孔と穴との間に位置するから、固定部材のフックボルトを取付孔と穴に挿通・挿入することができ、フエンス本体の支柱への取付けがやり易い。
また、フエンス本体を水平に対して斜めとした場合でも固定部材で固定される横線材が取付孔と穴との間に位置するから、フエンス本体を支柱に水平に対して斜めに簡単に取付けできる。
【００１３】
【発明の実施の形態】
図１に示すように、フエンス本体１０と支柱２０でフエンスを形成している。前記フエンス本体１０は縦線材１１と横線材１２で格子状である。例えば、複数の縦線材１１と複数の横線材１２を格子状に配設し、その各重なり部を溶接等で固着して格子状のフエンス本体１０としてある。
前記支柱２０と横線材１２が固定部材３０で固定してある。
この実施の形態では、支柱２０の上部とフエンス本体１０における上部寄りの横線材１２が固定部材３０で固定され、支柱２０の下部とフエンス本体１０における下部寄りの横線材１２が仮固定金具４０で仮固定されている。
【００１４】
前記支柱２０は図２に示すように、一側面２０ａと他側面２０ｂに貫通した取付孔２１と、一側面２０ａに開口した穴２２を有する。
前記取付孔２１と穴２２は所定の間隔、好ましくは上下方向に所定の間隔を置いて離隔している。
前記固定部材３０は図２に示すように、一端にフック３１を有すると共に、他端にねじ部３２を有するフックボルト３３と、そのねじ部３２に螺合するナット３４を有する。
前記フックボルト３３が支柱２０の取付孔２１に貫通すると共に、フック１の先端部３１ａが支柱２０の穴２２に挿入する。
【００１５】
図３と図４に示すように、フックボルト３３を支柱２０の取付孔２１に挿通し、そのフック３１の先端部３１ａが支柱２０の穴２２に挿入するとねじ部３２が支柱２０の他側面２０ｂから突出してナット３４を螺合できる。
このナット３４を締付けるとフック３１で横線材１２が支柱２０の一側面２０ａに押しつけて固定する。
図５に示すように、フックボルト３３を支柱２０の取付孔２１に挿通し、そのフック３１の先端部３１ａが穴２２に挿入せずに支柱２０の一側面２０ａに当接してフック３１と横線材１２との間に隙間がある場合には、ねじ部３２が支柱２０の他側面２０ｂから突出せずにナット３４を螺合できない。
【００１６】
このようであるから、作業者がフエンス本体１０を支柱２０に取付ける際に、フックボルト３３のフック３１の先端部３１ａが支柱２０の一側面２０ａに当接していると、フックボルト３３のねじ部３２が支柱２０の他側面２０ｂから突出せずにナット３４を螺合できない。
これによって、作業者がフック３１の先端部３１ａが穴２２に挿入していないことを知ることができる。
よって、作業者はフックボルト３３のフック３１の先端部３１ａを穴２２に挿入してナット３４を螺合し、そのナット３４を締付けて横線材１２を支柱２０の一側面２０ａに押しつけて固定でき、フエンス本体１０の支柱２０への取付けを誤ることを未然に防止できる。
【００１７】
この実施の形態では、支柱２０は中空形状である。例えば対向した一側板２３と他側板２４、対向した一端板２５と他端板２６で矩形断面の中空形状で、その一側板２３と他側板２４に貫通孔２１がそれぞれ対向して形成してあると共に、一側板２３に穴２２が形成してある。
前記支柱２０の中空部２０ｃにはスペーサ部材２７が嵌合して取付けられる。このスペーサ部材２７はガイド孔２８と凹部２９を有し、そのガイド孔２８は一側面２７ａと他側面２７ｂに貫通し、凹部２９は一側面２７ａに開口している。前記ガイド孔２８が取付孔２１と連続し、凹部２９が穴２２と対向する。
前記スペーサ部材２７は、好ましくはガイド孔２８と凹部２９を有する本体部２７ｃと、この本体部２７ｃの上部に設けたフランジ部２７ｄを備えた柱キャップで、図４に示すように、支柱２０の中空部２０ｃの上部に本体部２７ｃを嵌合し、フランジ部２７ｄを支柱２０の上端面２０ｄに接して取付けられる。
【００１８】
このようであるから、フックボルト３３を一方の取付孔２１からガイド孔２８を通して他方の取付孔２１にスムーズに挿通でき、フックボルト３３を取付孔２１に挿通し易い。
また、スペーサ部材２７によってナット３４の締付けによる支柱２０のへこみが防止できる。
なお、スペーサ部材２７は支柱２０の中空部２０ｃ内に嵌合されるようにしても良いし、スペーサ部材２７はガイド孔２８のみを有するものでも良い。また、スペーサ部材２７は設けなくとも良い。例えば、支柱２０が中実であればスペーサ部材２７は不要である。
【００１９】
次に、前記仮固定金具４０について説明する。
前記仮固定金具４０はフエンス本体１０を支柱２０に取付ける際に、そのフエンス本体１０の横線材１２を線接触で支持してフエンス本体１０を上下方向に位置決めして仮固定するもので、この仮固定金具４０の横線材支持部４１の横方向位置（横線材１２の長手方向位置）は、前記取付孔２１の中心とほぼ同一、好ましくは同一である。前記横線材支持部４１の上下方向位置は、フエンス本体１０の１つの横線材１２（例えば下部寄りの横線材１２）が接触した時に前記固定部材３０で固定される横線材１２（例えば上部寄りの横線材１２）が取付孔２１と穴２２との中間に位置するようにしてある。
【００２０】
このようであるから、フエンス本体１０の１つの横線材１２を横線材支持部４１に接して支持すると、図６に実線で示すように固定部材３０で固定される横線材１２が取付孔２１と穴２２との間に位置決めされる。
これによって、フックボルト３３を取付孔２１に容易に挿通してフック３１の先端部３１ａを穴２２に容易に挿入できる。
【００２１】
また、フエンス本体１０を支持部４１を支点として図６に仮想線で示すように水平に対して斜めにした時に、前述の固定部材３０で固定される横線材１２が図６に仮想線で示すように取付孔２１と穴２２との間において斜めとなる。
よって、例えば図１の右側に示すように支柱２０にフエンス本体１０を、水平に対して斜めに取付ける時に、固定部材３０を横線材１２と干渉せずに取付孔２１と穴２２に挿通・挿入できるから、フエンス本体１０を水平に取付ける場合と同様にして上線材１２を支柱２０に固定できる。
【００２２】
このようであるから、図１に示すように水平基盤Ａと傾斜基盤Ｂとに連続してフエンスを簡単に取付けできる。
【００２３】
前記仮固定金具４０の具体形状の一例を説明する。
図６と図７に示すように、前記仮固定金具４０は取付縦片４２と横片４３と支持縦片４４でほぼクランク形状で、その支持縦片４４の裏面に支持片４５が設けてある。例えば、支持縦片４４の上下中間を裏面側に突き出し加工して支持片４５としてある。
この支持片４５は円孤形状で、その最上面４５ａが前述の横線材支持部４１である。
支柱２０の一側面に取付縦片４２をビス４６で固着し、支持縦片４４の裏面と支柱２０の一側面２０ａとの間に上向きの支持凹部４７を形成している。
【００２４】
そして、横線材１２を支持凹部４７内に落し込んで支持片４５の最上面４５ａに接すると共に、支持縦片４４で支柱２０の一側面２０ａに押しつけ支持される。
【００２５】
前記支持片４５は円孤形状に限ることはなく、山形状、尖端形状などでも良い。つまり、横線材１２と接触する部分の幅が著しく小さく、横線材１２が線接触する形状であれば良い。
この仮固定金具４０は前述の固定部材３０に限ることはなく、従来と同様な固定部材を用いる場合にも有効である。
【００２６】
【発明の効果】
請求項１に係る発明によれば、フエンス本体を支柱に取付ける際に、フックボルトのフックの先端部が支柱の一側面に当接しているとねじ部が支柱の他側面から突出せずにナットを螺合できないから、作業者はフックの先端部が穴に挿入していないことを知ることができる。
作業者はフックボルトを再び挿通し直してフックの先端部を穴に挿入し、ねじ部にナットを螺合して締付けることで横線材をフックで支柱の一側面に押しつけてしっかりと固定できる。
したがって、フエンス本体の取付け誤りが生じることがないフエンスである。
【００２７】
請求項２に係る発明によれば、フックボルトをスペーサ部材のガイド孔を通して支柱の取付孔に容易に挿通できる。
ナットの締付けによって支柱がへこむことをスペーサ部材で防止できる。
【００２８】
請求項３に係る発明によれば、フエンス本体の横線材を仮固定金具の横線材支持部に支持してフエンス本体を仮固定できるし、固定部材で固定される横線材が支柱の取付孔と穴との間に位置するから、固定部材のフックボルトを取付孔と穴に挿通・挿入することができ、フエンス本体の支柱への取付けがやり易い。
また、フエンス本体を水平に対して斜めとした場合でも固定部材で固定される横線材が取付孔と穴との間に位置するから、フエンス本体を支柱に水平に対して斜めに簡単に取付けできる。
【図面の簡単な説明】
【図１】フエンスの正面図である。
【図２】支柱と固定部材とスペーサ部材の分解斜視図である。
【図３】支柱に横線材を固定した状態の横断面図である。
【図４】支柱に横線材を固定した状態の縦断面図である。
【図５】フックの先端部が支柱の一側面に当接した状態の側面図である。
【図６】フエンス本体を仮固定した状態の正面図である。
【図７】仮固定金具部分の側面図である。
【図８】従来のフエンス本体の取付け状態の一部破断側面図である。
【図９】従来のフエンス本体の取付け誤り状態の側面図である。
【符号の説明】
１…フック、１ａ…先端部、２…ねじ部、４…支柱、４ａ…一側面、５…取付孔、６…穴、７…横線材、８…ナット、１０…フエンス本体、１１…縦線材、１２…横線材、２０…支柱、２０ａ…一側面、２０ｂ…他側面、２１…取付孔、２２…穴、２７…スペーサ部材、２８…ガイド孔、３０…固定部材、３１…フック、３１ａ…先端部、３２…ねじ部、３３…フックボルト、３４…ナット、４０…仮固定金具、４１…横線材支持部。
【図１】
2004124470.tif 000003
【図２】
2004124470.tif 000004
【図３】
2004124470.tif 000005
【図４】
2004124470.tif 000006
【図５】
2004124470.tif 000007
【図６】
2004124470.tif 000008
【図７】
2004124470.tif 000009
【図８】
2004124470.tif 000010
【図９】
2004124470.tif 000011